(57)【要約】    【課題】  表示パネルと同じ高さに構成物を設けることなく、表示パネルの移動範囲が大きい表示パネルアーム、それを搭載した床頭台及び家具を提供する。    【解決手段】  テレビアーム３において、下板４の中心部に回転盤５を設け、回転盤５を囲むようにガイドレール６を敷設する。また、アーム本体７において、アーム本体７の長手方向に延びる溝８を形成し、回転盤５に固定したスペンサーに係合させる。また、モールドベアリング１１を設け、ガイドレール６に嵌合させる。更に、ボールキャスター１２を設け、下板４の上面を転動するようにする。そして、アーム本体７を２回折り返してその上部７ｃを天板上に位置させ、この上部７ｃにより薄型テレビを支持する。【選択図】  図２
2007020127.tif 000002
【特許請求の範囲】
【請求項１】
下板と、この下板の中心部上にこの下板に対して回転可能に設けられた回転盤と、この回転盤の周辺部上に設けられた突起部と、前記下板上における前記回転盤と前記下板の端縁との間に設けられたガイドレールと、その長手方向の一端部に前記長手方向に延びる溝が形成されたアーム本体と、このアーム本体に設けられ前記ガイドレールによって案内される案内部材と、前記下板、前記回転盤及び前記ガイドレールの上方に設けられた天板と、を有し、前記突起部は前記溝にその長手方向に相対的に移動可能に嵌合されており、前記アーム本体の他端部が表示パネルを前記天板の上方で支持するようになっていることを特徴とする表示パネルアーム。
【請求項２】
前記下板の表面に垂直な方向から見て、前記下板の形状は矩形であり、前記ガイドレールが前記下板の３辺に沿ったコ字形状であることを特徴とする請求項１に記載の表示パネルアーム。
【請求項３】
前記アーム本体に取り付けられ、前記アーム本体の幅方向に延び、その両端部が前記天板の下面に接するスライド板を有することを特徴とする請求項１又は２に記載の表示パネルアーム。
【請求項４】
前記アーム本体における前記溝との間に前記案内部材を挟む位置に設けられ前記下板の上面に対して転動するボールキャスターを有し、前記案内部材がモールドベアリングであることを特徴とする請求項１乃至３のいずれか１項に記載の表示パネルアーム。
【請求項５】
前記ガイドレールは、２本の線状部材が相互に平行に敷設されたものであり、前記案内部材は、前記２本の線状部材の間を前記下板の上面に対して摺動するベアリングであることを特徴とする請求項１乃至３のいずれか１項に記載の表示パネルアーム。
【請求項６】
下板と、この下板上にこの下板から離隔して設けられた天板と、この天板の下面の中心部にこの天板に対して自転可能に取り付けられた回転部材と、この回転部材に連結されたアーム本体と、を有し、前記アーム本体は、前記天板の下方に位置し前記回転部材に連結された下部と、前記天板の上方に位置し表示パネルを支持する上部と、前記天板の側方に位置し前記上部を前記下部に連結する相互に離隔した２つの側部と、を有し、前記２つの側部間の間隔は、前記回転部材が回転したときに、前記側部が前記天板に接触しないような長さとなっていることを特徴とする表示パネルアーム。
【請求項７】
前記下板の表面に垂直な方向から見て、前記下板の形状は矩形であり、前記下板の一辺に沿った端部上には前記天板を支持するスペーサが設けられており、前記天板の表面に垂直な方向から見て、前記天板の形状は前記スペーサの直上域にない２つの角部が面取りされた矩形であることを特徴とする請求項６に記載の表示パネルアーム。
【請求項８】
前記下部の一部が前記天板の下面に接触しており、前記上部の一部が前記天板の上面に接触していることを特徴とする請求項６又は７に記載の表示パネルアーム。
【請求項９】
下板と、この下板上にこの下板から離隔して設けられた天板と、この天板の下面上にこの天板の端縁に沿って敷設されたガイドレールと、このガイドレールに沿って移動可能な可動部品と、を有し、前記可動部品は、前記天板の下方に位置する下部と、前記天板の上方に位置し表示パネルを支持する上部と、前記天板の側方に位置し前記上部を前記下部に連結する側部と、前記下部の上面に取り付けられ前記ガイドレールによって案内される案内部材と、前記上部の下面に取り付けられ前記天板の上面に接するパッドと、を有することを特徴とする表示パネルアーム。
【請求項１０】
前記案内部材が、前記可動部品の移動方向に沿って配列された複数のモールドベアリングを有することを特徴とする請求項９に記載の表示パネルアーム。
【請求項１１】
前記側部は相互に離隔した２つの部分に分離されており、前記２つの部分間の間隔は、前記可動部品が移動したときに、前記側部が前記天板に接触しないような長さとなっていることを特徴とする請求項９又は１０に記載の表示パネルアーム。
【請求項１２】
前記表示パネルは、液晶テレビジョン受像機又は液晶モニタであることを特徴とする請求項１乃至１１のいずれか１項に記載の表示パネルアーム。
【請求項１３】
収納部と、この収納部上に固定された請求項１乃至１２のいずれか１項に記載の表示パネルアームと、が設けられていることを特徴とする床頭台。
【請求項１４】
請求項１乃至１２のいずれか１項に記載の表示パネルアームを備えたことを特徴とする家具。
【請求項１５】
机、テーブル又はベッドであることを特徴とする請求項１４に記載の家具。
【発明の詳細な説明】
【技術分野】
【０００１】
本発明は、表示パネルを移動可能に支持する表示パネルアーム、この表示パネルアームを備えた床頭台及び家具に関する。
【背景技術】
【０００２】
従来より、病院の病室に患者個人用のテレビジョン受像機（以下、テレビという）を設置することが一般的に行われている。この場合、テレビはベッドの枕元に置かれた床頭台の上に載置されることが多い。しかしながら、従来、ブラウン管テレビを床頭台上に載置すると、床頭台上にテレビ以外の物、例えば患者の持ち物及び医療器具等をほとんど置けなくなるという問題点があった。また、患者の姿勢及び座る位置に応じてテレビの画面の向きを変えることが困難であるという問題点もあった。
【０００３】
一方、近時、ブラウン管テレビに替わって、液晶テレビ等の薄型テレビが市場に出回っている。この薄型テレビを床頭台上に置けば、薄型テレビの背後には空きスペースが生じるため、この空きスペースにテレビ以外の物を置くことができる。
【０００４】
しかしながら、薄型テレビを床頭台上に置く場合にも、以下に示すような問題点がある。先ず、薄型テレビが床頭台上から落下する危険を避けるためには、薄型テレビを床頭台の端縁付近に置くことはできず、ある程度奥まった位置に置く必要がある。このため、薄型テレビの背後の空きスペースが小さくなってしまい、床頭台上のスペースを十分に有効活用することができない。また、床頭台の高さがベッドの高さよりも高い場合は、ベッドに寝ている患者から見て、テレビの画面が床頭台の陰にかくれてしまい、視認性が悪くなる。更に、薄型テレビであっても、患者が自分で画面の向きを変えることはやはり困難である。
【０００５】
非特許文献１には、支点に対して薄型テレビを回転可能に支持する可動アームが開示されている。この可動アームを使用すれば、薄型テレビの画面の向きを容易に調節することができる。しかしながら、この可動アームを床頭台上に設置しようとすると、可動アームの支点を床頭台の上面の中央部に設けることになるため、床頭台上に物を置くことができなくなってしまう。このため、空きスペースを確保するという薄型テレビの利点がなくなってしまう。
【０００６】
そこで、例えば特許文献１（特許２９１４５６８号公報）には、薄型テレビを吊り下げるタイプの床頭台が開示されている。図２２は、この従来の床頭台を示す斜視図である。図２２に示すように、この従来の床頭台１０１においては、収納部１０２が設けられており、収納部１０２上には、１対の側板１０３が立設されている。また、側板１０３の上端部間には天板１０４が設けられており、側板１０３と天板１０４とにより、収納部１０２上の空間が囲まれている。そして、天板１０４の前端部には、角度調節手段１０５を介して薄型テレビ１０６が吊り下げられている。
【０００７】
図２２に示す床頭台１０１によれば、薄型テレビ１０６を天板１０４から吊り下げることにより、薄型テレビ１０６を収納部１０２上の端部に配置することができ、収納部１０２上の空間を有効に利用することができると共に、視認性が向上する。また、角度調節手段１０５により、画面の向きを自在に調節することができる。
【０００８】
【非特許文献１】アルファーテック株式会社カタログ「ＬＣＤ  ａｒｍ  ｓｔａｎｄ  ｐｒｏｄｕｃｔｓ」２００５年４月
【特許文献１】特許２９１４５６８号公報
【発明の開示】
【発明が解決しようとする課題】
【０００９】
しかしながら、上述の従来の技術には、以下に示すような問題点がある。図２２に示す従来の床頭台１０１においては、側板１０３及び天板１０４が使用者に圧迫感を与え、目障りであると共に、側板１０３及び天板１０４が障害となり、収納部１０２上のスペースが利用し難くなる。即ち、側板１０３及び天板１０４が邪魔である。
【００１０】
また、この床頭台１０１においては、角度調節手段１０５により薄型テレビ１０６の向きをある程度調節することができるものの、その調節範囲には制約があり、例えば画面を真横に向けることはできない。このため、種々の位置から薄型テレビ１０６を視聴しようとすると、視認性が低いものになる。
【００１１】
本発明はかかる問題点に鑑みてなされたものであって、表示パネルと同じ高さに構成物を設けることなく、表示パネルの移動範囲が大きい表示パネルアーム、それを備えた床頭台及び家具を提供することを目的とする。
【課題を解決するための手段】
【００１２】
本発明に係る第１の表示パネルアームは、下板と、この下板の中心部上にこの下板に対して回転可能に設けられた回転盤と、この回転盤の周辺部上に設けられた突起部と、前記下板上における前記回転盤と前記下板の端縁との間に設けられたガイドレールと、その長手方向の一端部に前記長手方向に延びる溝が形成されたアーム本体と、このアーム本体に設けられ前記ガイドレールによって案内される案内部材と、前記下板、前記回転盤及び前記ガイドレールの上方に設けられた天板と、を有し、前記突起部は前記溝にその長手方向に相対的に移動可能に嵌合されており、前記アーム本体の他端部が表示パネルを前記天板の上方で支持するようになっていることを特徴とする。
【００１３】
本発明においては、回転盤が回転し、案内部材がガイドレールに案内されて移動し、突起部が溝内をその長手方向に相対的に移動することにより、アーム本体を、下板の端縁に沿って移動させることができる。このとき、アーム本体の一端部に形成された溝は回転盤に設けられた突起部に係合しており、アーム本体の中央部に設けられた案内部材は回転盤と下板の端縁との間に配設されたガイドレールに案内されているため、アーム本体の他端部は常に下板の外部に位置することになる。この結果、アーム本体の他端部に支持された表示パネルを、下板の端縁に沿って天板上を移動させることができる。
【００１４】
また、前記下板の表面に垂直な方向から見て、前記下板の形状は矩形であり、前記ガイドレールが前記下板の３辺に沿ったコ字形状であることが好ましい。これにより、表示パネルを、表示パネルアームの右側、正面及び左側を含む広い範囲で移動させることができる。
【００１５】
本発明に係る第１の表示パネルアームは、更に、前記アーム本体に取り付けられ、前記アーム本体の幅方向に延び、その両端部が前記天板の下面に接するスライド板を有することが好ましい。これにより、アーム本体ががたつくことを防止できる。
【００１６】
本発明に係る第２の表示パネルアームは、下板と、この下板上にこの下板から離隔して設けられた天板と、この天板の下面の中心部にこの天板に対して自転可能に取り付けられた回転部材と、この回転部材に連結されたアーム本体と、を有し、前記アーム本体は、前記天板の下方に位置し前記回転部材に連結された下部と、前記天板の上方に位置し表示パネルを支持する上部と、前記天板の側方に位置し前記上部を前記下部に連結する相互に離隔した２つの側部と、を有し、前記２つの側部間の間隔は、前記回転部材が回転したときに、前記側部が前記天板に接触しないような長さとなっていることを特徴とする。
【００１７】
本発明においては、回転部材が天板に対して自転することにより、アーム本体が天板の中心部を回転中心として回転し、アーム本体に支持された表示パネルを天板の中心部を回転中心として公転させることができる。このとき、天板の角部は、アーム本体の下部、２つの側部及び上部により形成される開口部内を相対的に通過するため、表示パネルの軌跡を天板の外接円よりも小さな円とすることができ、表示パネルを天板の端縁に沿って天板上を移動させることができる。
【００１８】
また、前記下板の表面に垂直な方向から見て、前記下板の形状は矩形であり、前記下板の一辺に沿った端部上には前記天板を支持するスペーサが設けられており、前記天板の表面に垂直な方向から見て、前記天板の形状は前記スペーサの直上域にない２つの角部が面取りされた矩形であることが好ましい。これにより、アーム本体の側部間の間隔を、過度に大きくする必要がなくなる。
【００１９】
更に、前記下部の一部が前記天板の下面に接触しており、前記上部の一部が前記天板の上面に接触していることが好ましい。これにより、アーム本体ががたつくことを防止できる。
【００２０】
本発明に係る第３の表示パネルアームは、下板と、この下板上にこの下板から離隔して設けられた天板と、この天板の下面上にこの天板の端縁に沿って敷設されたガイドレールと、このガイドレールに沿って移動可能な可動部品と、を有し、前記可動部品は、前記天板の下方に位置する下部と、前記天板の上方に位置し表示パネルを支持する上部と、前記天板の側方に位置し前記上部を前記下部に連結する側部と、前記下部の上面に取り付けられ前記ガイドレールによって案内される案内部材と、前記上部の下面に取り付けられ前記天板の上面に接するパッドと、を有することを特徴とする。
【００２１】
本発明においては、案内部材がガイドレールに案内されて移動し、パッドが天板の上面に対して摺動することにより、可動部品がガイドレールに沿って移動することができる。これにより、表示パネルが天板の端縁に沿って移動することができる。
【００２２】
また、前記案内部材が、前記可動部品の移動方向に沿って配列された複数のモールドベアリングを有することが好ましい。これにより、可動部品のがたつきを抑制することができる。
【００２３】
更に、前記側部は相互に離隔した２つの部分に分離されており、前記２つの部分間の間隔は、前記可動部品が移動したときに、前記側部が前記天板に接触しないような長さとなっていることが好ましい。これにより、ガイドレールの角部に傾斜をつけることができ、案内部材の移動を滑らかにすることができる。
【００２４】
更にまた、前記表示パネルは、液晶テレビジョン受像機又は液晶モニタであってもよい。
【００２５】
本発明に係る床頭台は、収納部と、この収納部上に固定された前記表示パネルアームと、が設けられていることを特徴とする。
【００２６】
本発明に係る家具は、前記表示パネルアームを備えたことを特徴とする。また、前記家具は、机、テーブル又はベッドであってもよい。
【発明の効果】
【００２７】
本発明によれば、表示パネルと同じ高さに構成物を設けることなく、表示パネルの移動範囲が大きい表示パネルアームを実現することができる。
【発明を実施するための最良の形態】
【００２８】
以下、本発明の実施形態について添付の図面を参照して具体的に説明する。先ず、本発明の第１の実施形態について説明する。図１は、本実施形態に係る床頭台を示す斜視図であり、図２は、本実施形態に係るテレビアームを示す斜視図であり、図３は、このテレビアームを示す上面図、正面図及び側面図であり、図４は、このテレビアームを示す部分拡大斜視図である。本実施形態に係る床頭台は、例えば病院の病室において、ベッドの枕元に置かれるものである。
【００２９】
図１に示すように、本実施形態に係る床頭台１においては、収納部２が設けられており、この収納部２上に、表示パネルアームとしてのテレビアーム３が設けられている。収納部２は、その正面に扉２ａが設けられており、収納部２の内部に例えば使用者の持ち物等を収納できるようになっている。テレビアーム３は、収納部２に固定されており、液晶テレビジョン受像機等の薄型テレビ１００を回動可能に支持するものである。上方から見て、薄型テレビ１００は床頭台１の中心を回動中心として公転するようになっており、その移動域は、床頭台１の正面側及び両側面側の端縁に沿った領域である。
【００３０】
以下、テレビアーム３の構成を詳細に説明する。図２乃至図４に示すように、テレビアーム３においては、収納部２（図１参照）の天板と略同じ形状の下板４が設けられている。下板４は例えば木製であり、その表面に垂直な方向から見て、下板４の形状は矩形であり、例えば正方形状であり、その正面側に位置する２つの角部は面取りされている。下板４は水平に設置されており、その表面に垂直な方向は鉛直方向となっている。下板４の上面上の中心部には、回転盤５がその中心軸５ａを回転中心として回転可能に設けられている。また、回転盤５の上面における周縁部には、１個のネジ穴５ｂが形成されている。
【００３１】
また、下板４の上面上には、回転盤５を囲むように、上方から見て略コ字形状のガイドレール６が敷設されている。ガードレール６は例えば鉄製であり、右側部分６ａ、斜め部分６ｂ、正面部分６ｃ、斜め部分６ｄ及び左側部分６ｅがこの順に連結されて、１本のレールを形成している。右側部分６ａは、床頭台の正面から見て回転盤５の向かって右側に位置し、下板４の右側の端縁に沿って延びている。正面部分６ｃは、回転盤５の正面側に位置し、下板４の正面側の端縁に沿って延びている。左側部分６ｅは、回転盤５の向かって左側に位置し、下板４の左側の端縁に沿って延びている。そして、斜め部分６ｂは、右側部分６ａと正面部分６ｃとの間に連結されており、右側部分６ａが延びる方向及び正面部分６ｃが延びる方向の双方に対して４５°傾斜した方向に延びている。また、斜め部分６ｂは、正面部分６ｃと左側部分６ｅとの間に連結されており、正面部分６ｃが延びる方向及び左側部分６ｅが延びる方向の双方に対して４５°傾斜した方向に延びている。また、ガイドレール６の長手方向に直交する断面の形状は、上側が開いたコ字形状となっている。
【００３２】
更に、テレビアーム３においては、アーム本体７が設けられている。アーム本体７は、１枚の短冊状の鋼板がその長手方向において２回直角に折り曲げられて、略コ字形状となったものである。即ち、アーム本体７は、基部７ａと、基部７ａの一端部７ｄから直角に起立した垂直部７ｂと、垂直部７ｂにおける基部７ａが連結されている側の反対側の端部から直角に折れ曲がり基部７ａと平行に延びる上部７ｃとが一体的に連結されて構成されている。基部７ａの他端部７ｅには基部７ａの長手方向に延びる溝８が形成されている。溝８は基部７ａを貫通している。
【００３３】
また、基部７ａの上面における長手方向中央部には、基部７ａが延びる方向に直交する方向（以下、幅方向という）に延びるスライド板９が設けられている。スライド板９は、その両端部が基部７ａの幅方向の両外側に延出している。スライド板９の両端部は直角に折り曲げられており、上方に向けて起立した起立部９ａとなっている。そして、スライド板９には、起立部９ａを覆うように、断面形状が略コ字形状の樹脂板１０が取り付けられている。樹脂板１０の上端部は基部７ａの長手方向に延びている。また、スライド板９の長手方向中央部は、両端部よりも細くなっており、溝８の長さを確保している。
【００３４】
更に、基部７ａにおけるスライド板９が取り付けられている位置よりも端部７ｄ側の位置には、案内部材として１個のモールドベアリング１１が取り付けられている。モールドベアリング１１は基部７ａの下面側に配置されており、基部７ａにネジ止めされた軸部に、この軸部を回転軸として車輪部が回転可能に取り付けられている。更にまた、基部７ａの下面側におけるモールドベアリング１１よりも端部７ｄ側には、基部７ａの幅方向に沿って２個のボールキャスター１２が設けられている。ボールキャスター１２においては、基部７ａにネジ止めされた支持部に、球体部が回転可能に取り付けられている。
【００３５】
更にまた、垂直部７ｂにおける外側面には、略コ字形状の取手１３が取り付けられている。更にまた、上部７ｃの上面には、テレビ固定台１４が固定的に取り付けられている。テレビ固定台１４は、薄型テレビ１００（図１参照）をネジ止めにより固定して、下方から支持するものである。また、テレビ固定台１４は、薄型テレビ１００の垂直方向における角度を調節できるようになっている。
【００３６】
そして、図４に示すように、回転盤５のネジ穴５ｂ上には、高分子ポリエチレンからなるジュラコン板１５が配置されている。ジュラコン板１５の形状は円形であり、その中心部には穴１５ａが形成されている。このジュラコン板１５上にアーム本体７の基部７ａが配置され、その上に他のジュラコン板１６が配置されている。ジュラコン板１６の形状はジュラコン板１５の形状と同じであり、その中心部には穴１６ａが形成されている。また、ジュラコン板１６上には、鉄製の押え板１７が配置されている。押え板１７の形状はジュラコン板１５と同じ大きさの円形であり、その中心部には穴１７ａが形成されている。そして、上方から見て、回転盤５に形成されたネジ穴５ｂ、ジュラコン板１５の中心の穴１５ａ、基部７ａに形成された溝８、ジュラコン板１６の中心の穴１６ａ、押え板１７の中心の穴１７ａが相互に同じ位置に配置されており、穴１５ａ、溝８、穴１６ａ、穴１７ａを貫通するように、例えばステンレス鋼からなる突起部としてのスペンサー１８が設けられている。スペンサー１８は、ネジ穴５ｂ及びワッシャー付きのネジ１９により、回転盤５に対して固定されている。なお、ネジ１９はワッシャーが付いていないものでもよい。
【００３７】
これにより、スペンサー１８は溝８の内部を溝８の長手方向に沿って相対的に移動できるようになっている。そして、このとき、モールドベアリング１１はガイドレール６内に位置し、ガイドレール６に案内されて移動可能となっている。また、ボールキャスター１２は下板４の端縁とガイドレール６との間に位置し、下板４の上面に転接する。
【００３８】
また、テレビアーム３においては、下板４、回転盤５及びガイドレール６の上方に、天板２１が設けられている。天板２１は例えば木製であり、その形状は下板４の形状と同じである。天板２１は下板４に対して平行に配置されており、アーム本体７の基部７ａと上部７ｃとの間に位置している。また、下板４と天板２１との間には、例えば木製のスペーサ２２が設けられている。スペーサ２２は、下板４と天板２１との間の領域における背面側の端部及び両側部の端部における背面側の部分に配置されている。即ち、上方から見て、スペーサ２２は略コ字形状となっている。なお、図２及び図３の上面図においては、図を見やすくするために、天板２１及びスペーサ２２は図示が省略されている。
【００３９】
次に、上述の如く構成された本実施形態に係るテレビアームの動作について説明する。図５乃至図９は、本実施形態に係るテレビアームの動作を示す上面図である。なお、図５乃至図９においては、図を見やすくするために、天板２１及びスペーサ２２は図示を省略されている。また、限られた図面スペース内で図を可及的に大きく示すために、図８及び図９は図５乃至図７に対して９０°回転させている。なお、テレビアーム３のテレビ固定台１４には、薄型テレビ１００（図１参照）がネジにより固定されており、下方から支持されている。先ず、図５乃至図９を参照して、アーム本体７を、テレビアーム３の正面側の端縁（以下、単に正面という）に位置している状態から、テレビアーム３の正面から見て向かって右側の端縁（以下、単に右側という）まで移動させるときの動作について説明する。
【００４０】
図５に示すように、アーム本体７が正面に位置している状態においては、スペンサー１８が回転盤５の回転軸５ａから見て正面側に位置しており、モールドベアリング１１がガイドレール６の正面部分６ｃに位置し、ボールキャスター１２が下板４の正面側の端縁と正面部分６ｃとの間に位置し、下板４の上面に転接している。また、樹脂板１０の上端部が天板２１の下面に接触している。このとき、スペンサー１８とガイドレール６との間の距離は最も短くなるため、スペンサー１８は溝８における端部７ｄ側の端部（以下、手前側端部という）に位置している。また、図１に実線で示すように、薄型テレビ１００の画面は正面を向いている。このとき、薄型テレビ１００は、２個のボールキャスター１２、モールドベアリング１１及び回転盤５により支えている。
【００４１】
この状態から、図６に示すように、使用者が取手１３を持ってアーム本体７を右側に動かすと、モールドベアリング１１がガイドレール６に案内されて、正面部分６ｃの内部を右側に、即ち、斜め部分６ｂに向かって移動し、ボールキャスター１２が下板４上を右側に向かって転動する。また、樹脂板１０も天板２１の下面に接触しながら、右側に移動する。このとき、スペンサー１８も右側に移動するため、これに伴い、回転盤５が上方から見て反時計回りに回動する。これにより、アーム本体７の移動に伴って、ガイドレール６の正面部分６ｃ内を直線運動するモールドベアリング１１と回転盤５の回動に従って円運動するスペンサー１８との間の距離が増大するため、スペンサー１８は溝８に対して相対的に移動し、基部７ａの端部７ｅ側の端部（以下、奥側端部という）に到達する。このとき、薄型テレビ１００の画面は正面を向いたままである。
【００４２】
次に、図７に示すように、アーム本体７をその手前側端部が右側を向くように傾斜させる。これにより、モールドベアリング１１がガイドレール６の斜め部分６ｂに進入し、ボールキャスター１２が下板４上を更に右側に向かって転動し、下板４の角部上に位置する。このとき、アーム本体７の奥側端部はやや左側に戻るため、スペンサー１８もやや左側に移動し、回転盤５が上方から見て時計回りに回動する。これに伴い、モールドベアリング１１とスペンサー１８との間の距離がやや減少し、スペンサー１８は溝８の奥側端部からやや手前側に戻った位置に移動する。このとき、薄型テレビ１００の画面は正面から右側に約４５°傾斜した方向を向く。
【００４３】
次に、図８に示すように、アーム本体７を更に傾斜させて、アーム本体７を右側に向ける。即ち、薄型テレビ１００の画面が右側を向くようにする。これにより、モールドベアリング１１がガイドレール６の右側部分６ａに進入し、ボールキャスター１２が下板４の右側端部上に位置する。このとき、アーム本体７の奥側端部は更に左側に戻るため、スペンサー１８も更に左側に移動し、回転盤５が上方から見て時計回りに回動する。これに伴い、モールドベアリング１１とスペンサー１８との間の距離がやや増大し、スペンサー１８は溝８の奥側端部に移動する。
【００４４】
次に、図９に示すように、アーム本体７を背面側に向けて動かすと、モールドベアリング１１がガイドレール６の右側部分６ａ内を背面側に移動し、ボールキャスター１２が下板４上を背面側に向かって転動する。スペンサー１８も背面側に移動するため、これに伴い、回転盤５が上方から見て反時計回りに回動する。このとき、アーム本体７の移動に伴って、モールドベアリング１１とスペンサー１８との間の距離は、一旦減少した後、再び増加するため、スペンサー１８は溝８の奥側端部から一旦手前側端部に移動した後、再び奥側端部に移動する。このとき、薄型テレビ１００の画面は右側を向いたままである。これにより、薄型テレビ１００を正面から右側に移動させる動作が終了する。
【００４５】
アーム本体７をテレビアーム３の右側から正面に移動させるときは、上述の図５乃至図９に示す動作の逆の動作を行う。また、正面から左側に移動させるときの動作は、上述の図５乃至図９に示す動作を左右反転させた動作であり、左側から正面に移動させるときの動作は、この左右反転させた動作の逆の動作である。
【００４６】
次に、本実施形態の効果について説明する。本実施形態によれば、薄型テレビ１００を下方から支持して天板２１上に位置させ、且つ、下板４の端縁に沿って公転させることができる。このため、天板２１上のスペースを有効に利用することができると共に、薄型テレビ１００と同じ高さに構成物を設ける必要がなく、これらの構成物が邪魔になることがない。
【００４７】
また、本実施形態によれば、薄型テレビ１００の回動可能範囲が広く、薄型テレビ１００を床頭台１の右側、正面及び左側を含む範囲の任意の位置に位置させることができる。また、このとき、アーム本体７の奥側の端部７ｅに形成された溝８は、下板４の中央部上に設けられた回転盤５に連結されたスペンサー１８に係合し、アーム本体７の中央部に取り付けられたモールドベアリング１１は、回転盤５と下板４の端縁との間に配置されたガイドレール６内に位置しているため、アーム本体７の手前側の端部７ｄは端部７ｅに対して常に外側を向くことになる。この結果、薄型テレビ１００の画面を、常に外側、即ち、床頭台１の反対側に向けることができる。このため、使用者は、任意の位置から視認性よく薄型テレビを視聴することができる。
【００４８】
更に、アーム本体７を移動させるときに、スライド板９に取り付けられた樹脂板１０の上端部が天板２１の下面に接触しながら移動するため、アーム本体７の幅方向におけるガタつきを抑制することができる。また、樹脂板１０の上端部は基部７ａの長手方向に延びているため、アーム本体７の長手方向におけるガタつきも抑制することができる。
【００４９】
更にまた、薄型テレビ１００を、２個のボールキャスター１２、モールドベアリング１１及び回転盤５により支えることにより、薄型テレビ１００の質量が１点に集中することがない。このため、各部の動作が滑らかであると共に、薄型テレビ１００の質量に起因するガタつき及び劣化が発生しにくい。
【００５０】
なお、本実施形態において、テレビ固定台１４をアーム本体７の上部７ｃに対して回転可能としてもよい。これにより、画面の角度調節の自由度がより一層向上する。
【００５１】
次に、本第１の実施形態の第１の変形例について説明する。図１０は、本変形例に係るテレビアームの下板を示す上面図であり、図１１は、本変形例におけるアーム本体を示す下面図である。図１０及び図１１に示すように、本変形例においては、前述の第１の実施形態と比較して、アーム本体７にモールドベアリング１１及びボールキャスター１２（図３参照）が設けられておらず、その替わりに、アーム本体７の下面側に２個のベアリング２５が設けられており、また、下板４上にガイドレール６が設けられておらず、その替わりに、ガイドレール２６が設けられている。
【００５２】
ベアリング２５は、例えばジェラコン又は高分子ポリエチレン等の樹脂からなる円板であり、アーム本体７の基部７ａに対して固定されている。また、２個のベアリング２５の配列方向は、基部７ａの幅方向、即ち、アーム本体７の移動方向である。
【００５３】
ガイドレール２６は、下板４の３辺に沿って敷設されており、内側部分と外側部分とが一定の間隔をあけて相互に平行に配置されている。ガイドレール２６の内側部分は線状部材２７ａ乃至２７ｃがこの順に連結されて構成されており、線状部材２７ａは下板４の右側の端縁に沿って配置されており、線状部材２７ｂは下板４の正面側の端縁に沿って配置されており、線状部材２７ｃは下板４の左側の端縁に沿って配置されている。そして、線状部材２７ａの線状部材２７ｂ側の端部における線状部材２７ｂに接していない側の角部は、線状部材２７ａが延びる方向に対して約４５°の角度をなして切り落されており、線状部材２７ｃの線状部材２７ｂ側の端部における線状部材２７ｂに接していない側の角部は、線状部材２７ｃが延びる方向に対して約４５°の角度をなして切り落されている。これにより、内側部分の外縁が滑らかになっている。
【００５４】
一方、ガイドレール２６の外側部分は線状部材２７ｄ乃至２７ｆがこの順に連結されて構成されており、線状部材２７ｄは下板４の右側の端縁に沿って配置されており、線状部材２７ｅは下板４の正面側の端縁に沿って配置されており、線状部材２７ｆは下板４の左側の端縁に沿って配置されている。そして、線状部材２７ｄと線状部材２７ｅとの間には、線状部材２７ｄ及び線状部材２７ｅの双方に接するように直角二等辺三角形状のコーナー部材２８ａが設けられており、線状部材２７ｅと線状部材２７ｆとの間には、線状部材２７ｅ及び線状部材２７ｆの双方に接するように直角二等辺三角形状のコーナー部材２８ｂが設けられている。これにより、外側部分の内縁が滑らかになっている。また、ガイドレール２６の両端部には、スペーサ３０が設けられており、ガイドレール２６を終端させている。本実施形態における上記以外の構成は、前述の第１の実施形態と同様である。
【００５５】
次に、本変形例の動作について説明する。本変形例においては、アーム本体７が移動するときには、ベアリング２５がガイドレール２６に案内されて、ガイドレール２６の内側部分と外側部分との間を、下板４の上面に対して摺動する。本変形例における上記以外の動作は、前述の第１の実施形態と同様である。
【００５６】
次に、本変形例の効果について説明する。本変形例においては、２個のベアリング２５が下板４に対して摺動するため、前述の第１の実施形態と比較して、アーム本体７と下板４との接触面積が大きい。このため、アーム本体７が移動する際にがたつきが少なく、移動が滑らかである。本変形例における上記以外の効果は、前述の第１の実施形態と同様である。
【００５７】
次に、第１の実施形態の第２の変形例について説明する。図１２は、本変形例におけるアーム本体を示す下面図である。図１２に示すように、本第２の変形例は、前述の第１の変形例と比較して、アーム本体７の替わりにアーム本体２９が設けられている点が異なっている。アーム本体２９の基部２９ａは、奥部２９ｄ及び手前部２９ｅから構成されており、奥部２９ｄと手前部２９ｅとは、軸３０により相互に回動可能に連結されている。奥部２９ｄには溝８が形成されており、手前部２９ｅにはベアリング２５ａが取り付けられている。また、本変形例においては、手前部２９ｅの幅が奥部２９ｄの幅よりも大きくなっており、ベアリング２５ａの直径は、前述の第１の変形例におけるベアリング２５の直径よりも大きくなっている。本変形例における上記以外の構成は、前述の第１の変形例と同様である。
【００５８】
本第２の変形例においては、アーム本体２９が移動する際に、奥部２９ｄ及び手前部２９ｅが軸３０を中心として相互に回動する。これにより、奥部２９ｄに形成された溝８が延びる方向が、手前部２９ｅに設けられたベアリング２５ａの配列方向、即ち、アーム本体２９の移動方向に拘束されなくなる。また、前述の第１の変形例と比較してベアリング２５ａの直径が大きいため、ベアリング２５ａと下板４との接触面積が大きくなり、アーム本体２９のがたつきが少なくなる。この結果、アーム本体２９の移動が滑らかになる。本変形例における上記以外の動作及び効果は、前述の第１の変形例と同様である。
【００５９】
なお、前述の第１の実施形態並びにその第１及び第２の変形例においては、スペンサー１８が回転盤５の中心軸５ａに対してアーム本体の先端側、即ち、薄型テレビが搭載されている側に位置している例を示したが、本発明はこれに限定されず、スペンサー１８が薄型テレビとの間で中心軸５ａを挟むような位置に位置していてもよい。
【００６０】
また、前述の第１の実施形態並びにその第１及び第２の変形例においては、テレビアーム３を収納部２上に固定して床頭台１を構成する例を示したが、本発明はこれに限定されず、机又は会議テーブル等の家具がテレビアーム３を備えていてもよい。例えば、テレビアーム３に脚を付けることにより、薄型テレビをテーブル面の端縁に沿って移動可能とした会議テーブルを構成することができる。このような家具を形成する材料としては、例えば、木、プラスチック、石及び鉄が挙げられる。更に、前述の第１の実施形態並びにその第１及び第２の変形例においては、表示パネルとして液晶テレビ等の薄型テレビを搭載する例を示したが、本発明はこれに限定されず、表示パネルとしてパーソナルコンピュータの液晶モニタを搭載してもよい。
【００６１】
次に、本発明の第２の実施形態について説明する。図１３は、本実施形態に係る床頭台を示す正面図であり、図１４は、この床頭台を示す側面図であり、図１５は、本実施形態に係るテレビアームを示す斜視図でありアーム本体が斜め位置にある場合を示し、図１６は、このテレビアームを示す斜視図でありアーム本体が正面にある場合を示し、図１７は、このテレビアームを示す側面図であり、図１８（ａ）及び（ｂ）は、このテレビアームの動作を示す図であり、（ａ）は天板の上面上の動作を示す上面図であり、（ｂ）は天板の下面上の動作を示す下面図である。本実施形態に係る床頭台は、例えば病院の病室において、ベッドの枕元に置かれるものである。
【００６２】
図１３及び図１４に示すように、本実施形態に係る床頭台３１においては、収納部３２が設けられており、この収納部３２上に、テレビアーム３３が設けられている。収納部３２には、上から順に３段の抽斗３２ａ、３２ｂ及び３２ｃが設けられており、正面方向に引き出されるようになっている。また、収納部３２の下面には、４個のキャスタ３２ｄが取り付けられており、床頭台３１の移動を容易にしている。テレビアーム３３は、収納部３２に対して固定されており、液晶テレビ等の薄型テレビ１００を回動可能に支持するものである。上方から見て、薄型テレビ１００は床頭台３１の中心を回動中心として公転するようになっており、その移動域は、床頭台３１の正面側及び両側面側の端縁に沿った領域である。
【００６３】
以下、テレビアーム３３の構成を詳細に説明する。図１５乃至図１８に示すように、テレビアーム３３においては、収納部３２の天板と略同じ形状の下板３４が設けられている。下板３４は例えば木製であり、その表面に垂直な方向から見て、その形状は矩形であり、例えば正方形状である。下板３４は水平に設置されており、その表面に垂直な方向は鉛直方向となっている。また、下板３４上には、天板３５が下板３４に対して平行に且つ離隔して設けられている。天板３５は例えば木製であり、その形状は下板３４の形状と略同じであるが、正面側に位置する２つの角部は面取りされており、斜面３５ａとなっている。更に、下板３４と天板３５との間には、例えば木製のスペーサ３６が設けられている。スペーサ３６は、下板３４に対して天板３５を支持するものである。スペーサ３６は、上方から見て、スペーサ３６は略コ字形状となっており、下板３４と天板３５との間の領域における両側部の端部の背面側の部分及び背面側の端部に配置されている。換言すれば、天板３５の形状は、スペーサ３６の直上域にない２つの角部が面取りされた矩形である。
【００６４】
天板３５の中心部の下面上には、回転部材３７が、天板３５に対して回転可能に取り付けられている。そして、回転部材３７の下面には、例えば鉄製のアーム本体３８が連結されている。即ち、アーム本体３８は、回転部材３７を介して天板３５から回転可能に吊り下げられている。アーム本体３８においては、下部３９が設けられている。下部３９の形状は、３つの端部３９ａ、３９ｂ及び３９ｃを持つ略Ｔ字形状をなしており、第１の端部３９ａを通過する中心線に関して、第２の端部３９ｂと第３の端部３９ｃとは対称になっている。
【００６５】
下部３９においては、第１の端部３９ａの近傍が回転部材３７に連結されている。また、第１の端部３９ａは上方に向けて直角に折り曲げられており、その先端部は樹脂板４０により覆われており、この樹脂板４０の上端部が天板３５の下面に接している。また、下部３９における回転部材３７に連結している部分からは、下部３９の幅方向両側、即ち、回転部材３７に連結している部分から端部３９ａに向かう方向に直交する２方向に向けて、夫々延出部３９ｄ及び３９ｅが延出している。延出部３９ｄ及び３９ｅの先端は直角に折り曲げられており、その先端部は樹脂板４０により覆われており、この樹脂板４０の上端部が天板３５の下面に接している。
【００６６】
また、下部３９の端部３９ｂ及び３９ｃの正面側の端縁からは、夫々側部４１ａ及び４１ｂが上方に向けて起立している。即ち、側部４１ａ及び４１ｂは相互に離隔して配置されている。後述するように、側部４１ａと側部４１ｂとの間の間隔は、回転部材３７が回転したときに、側部４１ａ及び４１ｂが天板３５に接触しないような長さとなっている。更に、側部４１ａ及び４１ｂは、天板３５の側方を通過し、その上端部は天板３５の上方に達している。側部４１ａ及び４１ｂの正面側の面には夫々、取手４２ａ及び４２ｂが取り付けられている。
【００６７】
側部４１ａ及び４１ｂの上端部間には、上部４３が連結されている。即ち、側部４１ａ及び４１ｂは上部４３を下部３９に連結するものである。上部４３は天板３５の上方に位置している。上部４３の形状は、下部３９において、第１の端部３９ａに向かって延びる部分を短くした形状である。即ち、上部４３の形状は縦方向が短いＴ字形状であり、第１の端部４３ａ、第２の短部４３ｂ及び第３の端部４３ｃを備えており、第１の端部４３ａを通過する中心線に関して、第２の短部４３ｂ及び第３の端部４３ｃは対称になっている。上方から見て、上部４３の第２の短部４３ｂ及び第３の端部４３ｃは、夫々下部３９の第２の端部３９ｂ及び第３の端部３９ｃに重なっている。また、上部４３の第１の端部４３ａは、下部３９の第１の端部３９ａの直上域までは到達せずに、天板３５の端部に留まっている。そして、第１の端部４３ａは、下方に向けて直角に折れ曲がっており、その先端部は樹脂板４４により覆われており、この樹脂板４４の下端部が天板３５の上面に接している。アーム本体３８の下部３９、側部４１ａ及び４１ｂ並びに上部４３は一体的に形成されている。そして、下部３９の正面側の端縁、側部４１ａ及び４１ｂの相互に対向する端縁、並びに上部４３の正面側の端縁により、略長方形の開口部４５が形成されている。
【００６８】
上部４３の中央部上には、回転盤４６が自転可能に設けられており、回転盤４６上にはテレビ固定台４７が固定的に設けられている。テレビ固定台４７は、薄型テレビ１００をネジ止めにより固定して、下方から支持するものである。また、テレビ固定台４７は、薄型テレビ１００の垂直方向における角度を調節できるようになっている。
【００６９】
次に、上述の如く構成された本実施形態に係るテレビアームの動作について説明する。図１８（ａ）及び（ｂ）に示すように、本実施形態においては、回転部材３７が天板３５に対して自転することにより、アーム本体３８が３５の中心部を回転中心として回転する。これにより、アーム本体３８に保持された薄型テレビ１００が天板３５の中心を回転中心として公転する。このとき、図１５に示すように、アーム本体３８には開口部４５が形成されており、また、天板３５の正面側の角部は面取りされて斜面３５ａとなっているため、アーム本体３８が正面と右側又は左側との間の斜め位置に位置しているときには、アーム本体３８の上部４３が天板３５の角部上に位置し、天板３５の角部が開口部４５内に位置する。このため、アーム本体３８が天板３５に衝突することがない。
【００７０】
一方、図１６に示すように、アーム本体３８が正面に位置しているときには、アーム本体３８の上部４３が天板３５の正面側の端部上に位置する。この結果、薄型テレビ１００も天板３５の正面側の端部上に位置する。同様に、アーム本体３８が右側及び左側に位置しているときには、アーム本体３８の上部４３が天板３５の右側及び左側の端部上に位置し、薄型テレビ１００は天板３５の右側及び左側の端部上に位置する。これにより、薄型テレビ１００は、天板３５の右側と左側との間の領域において、天板３５の端縁に沿って自在に移動することができる。
【００７１】
次に、本実施形態の効果について説明する。本実施形態によれば、薄型テレビ１００を下方から支持して天板３５上に位置させ、且つ、天板３５の端縁に沿って公転させることができる。このため、天板３５上のスペースを有効に利用することができると共に、天板３５上において、薄型テレビ１００と同じ高さに構成物を設ける必要がなく、これらの構成物が邪魔になることがない。
【００７２】
また、本実施形態によれば、アーム本体３８に開口部４５が形成されており、天板３５の角部が面取りされていることにより、アーム本体３８が斜め位置に位置したときに天板３５に衝突することがない。これにより、薄型テレビ１００の軌跡を天板３５の端縁上に設定することができる。仮に、アーム本体３８に開口部４５が形成されておらず、天板３５の角部が面取りされていなければ、アーム本体３８が天板３５の角部に衝突することを避けるためには、薄型テレビ１００の軌跡を天板３５の外接円よりも大きな円に設定せざるを得なくなり、上方から見て、薄型テレビ１００が床頭台３１の外側に位置してしまう。この結果、床頭台３１の重心バランスが悪くなり、床頭台３１の安定性が低下すると共に、病室内において薄型テレビ１００が邪魔になる。これに対して、本実施形態においては、薄型テレビ１００が常に天板３５の直上域に位置しているため、このような不具合がない。
【００７３】
なお、開口部４５の水平方向の長さ、即ち、側部４１ａと側部４１ｂとの間の距離と、天板３５の面取りの程度、即ち、斜面３５ａの水平方向の長さとは、相互にトレードオフの関係にあり、一方を大きくすれば他方を小さくすることができる。例えば、開口部４５の長さを十分に大きくすれば、斜面３５ａを形成する必要がない。一方、天板３５を円形又は円形に近い形状とすれば、開口部４５を形成する必要がない。開口部４５の水平方向の長さ及び天板３５の面取りの程度は、使いやすさ及び意匠性等を考慮して任意に設計することができる。
【００７４】
更に、本実施形態によれば、薄型テレビ１００の回動可能範囲が広く、薄型テレビ１００を床頭台３１の右側、正面及び左側を含む範囲の任意の位置に位置させることができる。また、アーム本体３８の上部４３上には薄型テレビ１００の水平方向における角度を任意に調節することができる回転盤４６が設けられており、回転盤４６上には薄型テレビ１００の垂直方向における角度を任意に調節できるテレビ固定台４７が設けられているため、薄型テレビ１００の画面の角度を、水平方向及び垂直方向の双方に沿って任意に調節することができる。このため、使用者は、任意の位置から視認性よく薄型テレビを視聴することができる。
【００７５】
更にまた、アーム本体３８を移動させるときに、樹脂板４０及び樹脂板４４が夫々天板３５の下面及び上面に接触して移動するため、アーム本体３８のがたつきを抑制することができる。
【００７６】
更にまた、薄型テレビ１００を、アーム本体３８及び回転部材３７を介して天板３５の中心で支えているため、薄型テレビ１００を移動させたときの床頭台３１の揺れが少ない。このため、この揺れに起因するガタつき及び劣化が発生しにくい。
【００７７】
本実施形態によれば、前述の第１の実施形態と比較して、天板の正面側の角部を面取りする必要が生じるものの、より簡略な構成により、テレビアームを構成することができる。
【００７８】
なお、本実施形態において、回転盤４６を省略してテレビ固定台４７をアーム本体３８に直接固定してもよい。この場合は、薄型テレビ１００の画面は、常に床頭台３１の外側を向くことになる。多くの場合においては、これでも十分に良好な視認性を確保することができる。
【００７９】
次に、本第２の実施形態の変形例について説明する。図１９は、本変形例におけるアーム本体を示す正面図である。図１９に示すように、本変形例においては、前述の第２の実施形態と比較して、アーム本体３８の側部４１ａ及び４１ｂの長さが長くなっており、開口部４５における垂直方向の長さが長くなっている。そして、開口部４５内の下部に、カードタイマー４８が収納されている。カードタイマー４８は薄型テレビ１００（図１７参照）に接続されており、また、カードタイマー４８にはカード挿入口４８ａが設けられている。カードタイマー４８は、カード挿入口４８ａにプリペイドカード（図示せず）等が挿入されたときに、薄型テレビ１００を作動させるものである。これにより、使用者は、薄型テレビ１００を有料で視聴することができる。また、アーム本体３８が天板３５の角部の近傍を通過する際には、天板３５の角部は開口部４５内におけるカードタイマー４８の上方を相対的に通過するようになっている。このため、天板３５がアーム本体３８及びカードタイマー４８に接触することがない。本変形例における上記以外の構成は、前述の第２の実施形態と同様である。
【００８０】
本変形例によれば、カードタイマー４８を開口部４５内に設置することにより、常にカードタイマー４８を薄型テレビ１００の近傍に薄型テレビ１００と同じ方向に向けて配置することができる。これにより、使用者から見れば、カードタイマー４８が薄型テレビ１００と一体化しているように見え、利便性が高い。本変形例における上記以外の動作及び効果は、前述の第２の実施形態と同様である。
【００８１】
なお、前述の第２の実施形態及びその変形例においては、テレビアーム３３を収納部３２上に配置して床頭台３１を構成する例を示したが、本発明はこれに限定されず、机又は会議テーブル等の家具がテレビアーム３３を備えていてもよい。例えば、テレビアーム３３に脚を付けることにより、薄型テレビをテーブル面の端縁に沿って移動可能とした会議テーブルを構成することができる。このような家具を形成する材料としては、例えば、木、プラスチック、石及び鉄が挙げられる。また、前述の第２の実施形態及びその変形例においては、表示パネルとして液晶テレビ等の薄型テレビを搭載する例を示したが、本発明はこれに限定されず、表示パネルとしてパーソナルコンピュータの液晶モニタを搭載してもよい。
【００８２】
次に、本発明の第３の実施形態について説明する。図２０は、本実施形態に係るテレビアームを示す斜視図であり、図２１（ａ）及び（ｂ）は、このテレビアームの動作を示す図であり、（ａ）は天板の上面上の動作を示す上面図であり、（ｂ）は天板の下面上の動作を示す下面図である。
【００８３】
図２０並びに図２１（ａ）及び（ｂ）に示すように、本実施形態に係るテレビアーム５０においては、下板５１及び天板５２が、相互に離隔して且つ相互に平行に設けられている。下板５１及び天板５２は水平に配置されており、その表面に垂直な方向は鉛直方向となっている。また、下板５１及び天板５２の形状は相互に等しく、例えば４つの角部が面取りされた正方形である。
【００８４】
下板と天板５２との間には、３つのスペーサ５３ａ、５３ｂ及び５３ｃが設けられている。スペーサ５３ａ及び５３ｂは、天板５２の隣り合う２ヶ所の角部の直下域に配置されている。以下、テレビアーム５０において、この２ヶ所の角部が配置されている側を奥側といい、他の２ヶ所の角部が配置されている側を正面側といい、正面側から見て向かって右側を右側といい、向かって左側を左側という。スペーサ５３ｃは、天板５２の中央部からやや正面側寄りの直下域に配置されている。
【００８５】
天板５２の下面上には、天板５２の正面側、右側及び左側の３辺に沿って、略コ字形状のガイドレール５４が設けられている。ガイドレール５４は、樹脂からなる線状部材が、一定の間隔をあけて、２本平行に敷設されることにより構成されている。即ち、ガイドレール５４の内側部分においては、天板５２の右側の端縁と平行に線状部材５５ａが設けられており、この線状部材５５ａに連結されるように、天板５２の正面側の端縁と平行に線状部材５５ｂが設けられており、この線状部材５５ｂに連結されるように、天板５２の左側の端縁と平行に線状部材５５ｃが設けられている。また、ガイドレール５４の外側部分においては、天板５２の右側の端縁と平行に線状部材５５ｄが設けられており、天板５２の正面側の端縁と平行に線状部材５５ｆが設けられており、天板５２の左側の端縁と平行に線状部材５５ｈが設けられている。そして、線状部材５５ｄと線状部材５５ｆとの間に、線状部材５５ｄ及び５５ｆの双方に対して４５°の角度をなして、線状部材５５ｅが設けられている。また、線状部材５５ｆと線状部材５５ｈとの間に、線状部材５５ｆ及び５５ｈの双方に対して４５°の角度をなして、線状部材５５ｇが設けられている。
【００８６】
そして、線状部材５５ａにおける線状部材５５ｂに連結されていない側の端部、及び線状部材５５ｄにおける線状部材５５ｅに連結されていない側の端部は、スペーサ５３ａに当接している。また、線状部材５５ｃにおける線状部材５５ｂに連結されていない側の端部、及び線状部材５５ｈにおける線状部材５５ｇに連結されていない側の端部は、スペーサ５３ｂに当接している。これにより、スペーサ５３ａ及び５３ｂは、ガイドレール５４の終端部を構成しており、車輪止めとしても機能している。また、スペーサ５３ｃは、線状部材５５ｂに接している。
【００８７】
また、テレビアーム５０においては、例えば鉄製の可動部品５６が設けられている。可動部品５６においては、相互に同じ形状の下部５７及び上部５８が相互に平行に且つ離隔して設けられている。下部５７の形状は略Ｔ字形状であり、略正方形の基部５７ａから、２ヶ所の延出部５７ｂ及び５７ｃが延出した形状となっている。同様に、上部５８は、略正方形の基部５８ａから、２ヶ所の延出部５８ｂ及び５８ｃが延出した形状となっている。そして、延出部５７ｂと延出部５８ｂとの間には側部５９ｂが連結されており、延出部５７ｃと延出部５８ｃとの間には側部５９ｃが連結されている。側部５９ｂと側部５９ｃとは相互に離隔している。また、下部５７、上部５８並びに側部５９ｂ及び５９ｃは一体的に形成されており、下部５７の正面側の端縁、上部５８の正面側の端縁、側部５９ｂ及び５９ｃの相互に対向する端縁により、開口部６０が形成されている。更に、側部５９ｂ及び５９ｃの正面側の表面には、夫々取手６６が取り付けられている。
【００８８】
下部５７の上面上には、２個のモールドベアリング６１が固定されている。モールドベアリング６１は、例えば高分子ポリエチレン又はジェラコン等の樹脂からなり、可動部品５６の移動方向、即ち、側部５９ｂから側部５９ｃに向かう方向に沿って配列されている。また、上部５８の下面上には、１個のベアリング６２が固定されている。ベアリング６２は例えば高分子ポリエチレン又はジェラコン等の樹脂からなる円板状のパッドである。そして、上部５８の中央部上には、回転盤６３が自転可能に設けられており、回転盤６３上にはテレビ固定台６４が固定的に設けられている。テレビ固定台６４は、薄型テレビ１００をネジ止めにより固定して、下方から支持するものである。また、テレビ固定台６４は、薄型テレビ１００の垂直方向における角度を調節できるようになっている。
【００８９】
そして、可動部品５６の下部５７は天板５２の下方、即ち、下板５１と天板５２との間に位置しており、上部５８は天板５２の上方に位置しており、側板５９ｂ及び５９ｃは天板５２の側方に位置している。また、下部５７上に設けられた２個のモールドベアリング６１は、ガイドレール５４の内部、即ち、ガイドレール５４の内側部分と外側部分との間に位置し、天板５２の下面に対して摺動し線状部材５５ａ乃至５５ｇに対して摺動することにより、ガイドレール５４に案内されて移動するようになっている。更に、上部５８の下面に設けられたベアリング６２は、天板５２の上面に接し、天板５２に対して摺動するようになっている。
【００９０】
次に、上述の如く構成された本実施形態に係るテレビアームの動作について説明する。図２０並びに図２１（ａ）及び（ｂ）に示すように、可動部品５６のモールドベアリング６１が天板５２の下面に対して摺動し線状部材５５ａ乃至５５ｇに対して摺動することにより、ガイドレール５４に沿って移動し、ベアリング６２が天板５２の上面に対して摺動することにより、可動部品５６をガイドレール５４に沿って任意の位置に移動させることができる。このとき、図２０に示すように、可動部品５６には開口部６０が形成されていることにより、可動部品５６が正面と右側又は左側との間の斜め位置に位置しているときには、天板５２の角部が開口部６０内に位置する。このため、可動部品５６が天板５２に衝突することがない。これにより、薄型テレビ１００は、ガイドレール５４に沿って、天板５２の端部上を自在に移動することができる。
【００９１】
次に、本実施形態の効果について説明する。本実施形態によれば、薄型テレビ１００を下方から支持して天板５２上に位置させ、且つ、天板５２の端縁に沿って移動させることができる。このため、天板５２上のスペースを有効に利用することができると共に、天板５２上において、薄型テレビ１００と同じ高さに構成物を設ける必要がなく、これらの構成物が邪魔になることがない。
【００９２】
また、２個のモールドベアリング６１及びベアリング６２が設けられており、可動部品５６を移動させるときに、モールドベアリング６１が天板５２の下面に対して摺動し、ベアリング６２が天板５２の上面に対して摺動するため、可動部品５６のがたつきを抑制することができる。
【００９３】
更に、本実施形態によれば、可動部品５６に開口部６０が形成されていることにより、ガイドレール５４の角部に線状部材５５ｅ及び５５ｇを斜めに配設しても、可動部品５６が斜め位置に位置したときに天板５２に衝突することがない。ガイドレール５４の角部に線状部材５５ｅ及び５５ｇを斜めに配設することにより、モールドベアリング６１の移動を滑らかにすることができる。
【００９４】
更にまた、本実施形態によれば、ガイドレール５４が敷設されているかぎり、薄型テレビ１００を天板５２の端縁に沿って広い範囲で移動させることができる。また、可動部品５６の上部５８上には薄型テレビ１００の水平方向における角度を任意に調節することができる回転盤６３が設けられており、回転盤６３上には薄型テレビ１００の垂直方向における角度を任意に調節できるテレビ固定台６４が設けられているため、薄型テレビ１００の画面の角度を、水平方向及び垂直方向の双方に沿って任意に調節することができる。このため、使用者は、任意の位置から視認性よく薄型テレビを視聴することができる。
【００９５】
なお、本実施形態において、回転盤６３を省略してテレビ固定台６４を可動部品５６に直接固定してもよい。この場合は、薄型テレビ１００の画面は、テレビアーム５０の外側を向くことになる。多くの場合においては、これでも十分に良好な視認性を確保することができる。
【００９６】
本実施形態においては、前述の第１及び第２の実施形態と比較して、薄型テレビの移動域が天板の中心部を回転中心とした円軌道に限定されないため、天板の大きさ及び形状に対する制約がない。即ち、ガイドレールを敷設することにより、天板の端縁に沿って、薄型テレビを自在に移動させることができる。例えば、下板と天板との間のスペーサを天板の中央部の直下域のみに設ければ、ガイドレールを環状に敷設することができ、薄型テレビを天板５２の全周に渡って移動させることができる。本実施形態に係るテレビアームは、前述の第１及び第２の実施形態と同様に、収納部上に固定して床頭台を構成してもよく、又は、本実施形態に係るテレビアームを机又はテーブル等の家具として構成してもよい。この場合、テーブルの大きさ及び形状は制約されないため、例えば、楕円形又は長方形等の大型会議テーブルを構成することもできる。また、家具の材料も、例えば、木、プラスチック、石及び鉄等、任意の材料を使用することができる。更に、本実施形態においては表示パネルとして薄型テレビを搭載する例を示したが、本発明はこれに限定されず、表示パネルとしてパーソナルコンピュータの液晶モニタを搭載してもよい。
【００９７】
更にまた、ベッドに本実施形態に係るテレビアームを搭載してもよい。即ち、ベッドの右側、足側及び左側の端縁に沿ってガイドレールを敷設し、このガイドレールに沿って、液晶テレビ等の薄型テレビが移動するようにしてもよい。この場合、薄型テレビの画面は、ベッドの内側、即ち、寝台側を向くようにする。
【図面の簡単な説明】
【００９８】
【図１】本発明の第１の実施形態に係る床頭台を示す斜視図である。
【図２】本実施形態に係るテレビアームを示す斜視図である。
【図３】このテレビアームを示す上面図、正面図及び側面図である。
【図４】このテレビアームを示す部分拡大斜視図である。
【図５】本実施形態に係るテレビアームの動作を示す上面図である。
【図６】本実施形態に係るテレビアームの動作を示す上面図であり、図５の次の動作を示す。
【図７】本実施形態に係るテレビアームの動作を示す上面図であり、図６の次の動作を示す。
【図８】本実施形態に係るテレビアームの動作を示す上面図であり、図７の次の動作を示す。
【図９】本実施形態に係るテレビアームの動作を示す上面図であり、図８の次の動作を示す。
【図１０】第１の実施形態の第１の変形例に係るテレビアームの下板を示す上面図である。
【図１１】本変形例におけるアーム本体を示す下面図である。
【図１２】第１の実施形態の第２の変形例におけるアーム本体を示す下面図である。
【図１３】本発明の第２の実施形態に係る床頭台を示す正面図である。
【図１４】この床頭台を示す側面図である。
【図１５】本実施形態に係るテレビアームを示す斜視図でありアーム本体が斜め位置にある場合を示す。
【図１６】このテレビアームを示す斜視図でありアーム本体が正面にある場合を示す。
【図１７】このテレビアームを示す側面図である。
【図１８】（ａ）及び（ｂ）は、このテレビアームの動作を示す図であり、（ａ）は天板の上面上の動作を示す上面図であり、（ｂ）は天板の下面上の動作を示す下面図である。
【図１９】第２の実施形態の変形例におけるアーム本体を示す正面図である。
【図２０】本発明の第３の実施形態に係るテレビアームを示す斜視図である。
【図２１】（ａ）及び（ｂ）は、このテレビアームの動作を示す図であり、（ａ）は天板の上面上の動作を示す上面図であり、（ｂ）は天板の下面上の動作を示す下面図である。
【図２２】従来の床頭台を示す斜視図である。
【符号の説明】
【００９９】
１；床頭台
２；収納部
２ａ；扉
３；テレビアーム
４；下板
５；回転盤
５ａ；中心軸
５ｂ；ネジ穴
６；ガードレール
６ａ；右側部分
６ｂ、６ｄ；斜め部分
６ｃ；正面部分
６ｅ；左側部分
７；アーム本体
７ａ；基部
７ｂ；垂直部
７ｃ；上部
７ｄ、７ｅ；端部
８；溝
９；スライド板
９ａ；起立部
１０；樹脂板
１１；モールドベアリング
１２；ボールキャスター
１３；取手
１４；テレビ固定台
１５、１６；ジュラコン板
１５ａ、１６ａ、１７ａ；穴
１７；押え板
１８；スペンサー
１９；ネジ
２１；天板
２２；スペーサ
２５、２５ａ；ベアリング
２６；ガイドレール
２７ａ〜２７ｆ；線状部材
２８ａ、２８ｂ；コーナー部材
２９ｄ；奥部
２９ｅ；手前部
３０；スペーサ
３１；床頭台
３２；収納部
３２ａ、３２ｂ、３２ｃ；抽斗
３２ｄ；キャスタ
３３；テレビアーム
３４；下板
３５；天板
３５ａ；斜面
３６；スペーサ
３７；回転部材
３８；アーム本体
３９；下部
３９ａ、３９ｂ、３９ｃ；端部
３９ｄ、３９ｅ；延出部
４０、４４；樹脂板
４１ａ、４１ｂ；側部
４２ａ、４２ｂ；取手
４３；上部
４３ａ、４３ｂ、４３ｃ；端部
４５；開口部
４６；回転盤
４７；テレビ固定台
４８；カードタイマー
４８ａ；カード挿入口
５０；テレビアーム
５１；下板
５２；天板
５３ａ、５３ｂ、５３ｃ；スペーサ
５４；ガイドレール
５５ａ〜５５ｈ；線状部材
５６；可動部品
５７；下部
５７ａ；基部
５７ｂ、５７ｃ、５８ｂ、５８ｃ；延出部
５８；上部
５９ｂ、５９ｃ；側部
６０；開口部
６１；モールドベアリング
６２；ベアリング
６３；回転盤
６４；テレビ固定台
６６；取手
１００；薄型テレビ
１０１；床頭台
１０２；収納部
１０３；側板
１０４；天板
１０５；角度調節手段
１０６；薄型テレビ
【図１】
2007020127.tif 000003
【図２】
2007020127.tif 000004
【図３】
2007020127.tif 000005
【図４】
2007020127.tif 000006
【図５】
2007020127.tif 000007
【図６】
2007020127.tif 000008
【図７】
2007020127.tif 000009
【図８】
2007020127.tif 000010
【図９】
2007020127.tif 000011
【図１０】
2007020127.tif 000012
【図１１】
2007020127.tif 000013
【図１２】
2007020127.tif 000014
【図１３】
2007020127.tif 000015
【図１４】
2007020127.tif 000016
【図１５】
2007020127.tif 000017
【図１６】
2007020127.tif 000018
【図１７】
2007020127.tif 000019
【図１８】
2007020127.tif 000020
【図１９】
2007020127.tif 000021
【図２０】
2007020127.tif 000022
【図２１】
2007020127.tif 000023
【図２２】
2007020127.tif 000024